(57)【要約】【課題】印刷中にカセット取出ボタンが操作されても、給紙カセットがプリンタ本体から取り外されないようにした画像記録装置を提供する。【解決手段】記録紙に画像を形成する画像形成部が設けられたプリンタ本体には、記録紙を収容する給紙カセット１５が着脱自在に装着されており、給紙カセット１５に設けられた係合溝２８に係合するロック爪２９を有するロックレバー２７がプリンタ本体１０に移動自在に装着されている。プリンタ本体１０にはロックレバー２７に係合してロックレバー２７を移動させるカセット取出ボタン３３ａが移動自在に設けられており、カセット取出ボタン３３ａの移動を規制するロック位置と移動を許容する退避位置とに移動自在にストッパ４１がプリンタ本体１０に設けられている。【選択図】  図４
2004338874.tif 000002
【特許請求の範囲】
【請求項１】
記録紙に画像を形成する画像形成部が設けられたプリンタ本体と、
前記プリンタ本体に対して着脱自在に装着され、記録紙を収容する記録紙載置部と、
前記プリンタ本体に移動自在に装着され、前記カセットに設けられた係合部に係合する固定部を有する固定部操作手段と、
前記プリンタ本体に移動自在に装着され、前記固定部操作手段に係合し前記固定部操作手段を移動する記録紙載置部の排出操作手段と、
前記記録紙載置部の排出操作手段の移動を規制する固定位置と前記記録紙載置部の排出操作手段の移動を許容する退避位置とに移動自在の停止部と、
前記記録紙に画像を形成しているときに前記停止部を前記固定位置に移動し、画像を形成していないときに前記停止部を前記退避位置に移動する駆動手段とを有することを特徴とする画像記録装置。
【請求項２】
記録紙に画像を形成する画像形成部が設けられたプリンタ本体と、
前記プリンタ本体に対して着脱自在に装着され、記録紙を収容する給紙カセットと、
前記プリンタ本体に移動自在に装着され、前記カセットに設けられた係合部に係合するロック部を有するロックレバーと、
前記プリンタ本体に移動自在に装着され、前記ロックレバーに係合し前記ロックレバーを移動するカセット取出ボタンと、
前記カセット取出ボタンの移動を規制するロック位置と前記カセット取出ボタンの移動を許容する退避位置とに移動自在のストッパと、
前記記録紙に画像を形成しているときに前記ストッパを前記ロック位置に移動し、画像を形成していないときに前記ストッパを前記退避位置に移動する駆動手段とを有することを特徴とする画像記録装置。
【請求項３】
前記駆動手段は、前記ストッパが固定される移動部材と、前記移動部材に係合するカム部材と、前記カム部材を駆動するモータとを有し、前記モータにより前記移動部材を介してストッパを駆動することを特徴とする請求項２記載の画像記録装置。
【請求項４】
前記移動部材にカム溝を形成し、前記カム部材に前記カム溝に係合する係合突起を設けることを特徴とする請求項３記載の画像記録装置。
【請求項５】
記録紙に画像を形成する画像形成部が設けられたプリンタ本体と、
前記プリンタ本体に対して着脱自在に装着され、記録紙を収容する給紙カセットと、
前記プリンタ本体に移動自在に装着され、前記カセットに設けられた主係合部に係合する主ロック部を有する主ロックレバーと、
前記プリンタ本体に移動自在に装着され、前記主ロックレバーに係合し前記主ロックレバーを移動するカセット取出ボタンと、
前記カセットに設けられた副係合部に係合する副ロック部を有し、前記副ロック部が前記副係合部に係合するロック位置と係合を解く退避位置とに移動自在に前記プリンタ本体に設けられた副ロックレバーと、
前記記録紙に画像を形成しているときに前記副ロックレバーを前記ロック位置に移動し、画像を形成していないときに前記副ロックレバーを前記退避位置に移動する駆動手段とを有することを特徴とする画像記録装置。
【請求項６】
前記駆動手段は、前記副ロックレバーに係合するカム部材と、前記カム部材を駆動するモータとを有し、前記モータにより前記カム部材を介して前記副ロックレバーを駆動することを特徴とする請求項５記載の画像記録装置。
【請求項７】
前記カセット取出ボタンが操作されたことを検知する検知スイッチを有し、記録紙に対する画像形成中に前記カセット取出ボタンが操作されたときには前記副ロックレバーを駆動せず、画像が形成されていないときに前記カセット取出ボタンが操作されたときに前記副ロックレバーを駆動することを特徴とする請求項５または６記載の画像記録装置。
【請求項８】
記録紙に画像を形成する画像形成部が設けられたプリンタ本体と、
前記プリンタ本体に対して着脱自在に装着され、記録紙を収容する給紙カセットと、
前記プリンタ本体に移動自在に装着され、前記カセットに設けられた係合部に係合するロック部を有するロックレバーと、
前記プリンタ本体に移動自在に装着されるカセット取出ボタンと、
前記ロックレバーと前記カセット取出ボタンとを連結する連結位置と連結を解除する退避位置とに移動自在に前記プリンタ本体に設けられる連結部材と、
記録紙に画像を形成しているときに前記連結部材を前記退避位置に移動し、画像を形成していないときに前記連結部材を前記連結位置に移動する駆動手段とを有することを特徴とする画像記録装置。
【請求項９】
前記駆動手段は、前記連結部材が前記カセット取出ボタンの操作方向に移動自在に装着された移動部材と、前記移動部材に係合して前記移動部材を介して前記連結部材を前記退避位置と前記連結位置とに移動するカム部材と、前記カム部材を駆動するモータとを有し、前記モータにより前記移動部材を介して連結部材を駆動することを特徴とする請求項８記載の画像記録装置。
【請求項１０】
前記移動部材にカム溝を形成し、前記カム部材に前記カム溝に係合する係合突起を設けることを特徴とする請求項９記載の画像記録装置。
【請求項１１】
前記プリンタ本体に設けられ、前記給紙カセットに取出方向の付勢力を加えるばね部材を有することを特徴とする請求項１〜１０のいずれか１項に記載の画像記録装置。
【発明の詳細な説明】
【０００１】
【発明の属する技術分野】
本発明は給紙カセットをカセット取出ボタンの操作によってプリンタ本体から取り出し得るようにした画像記録装置に関する。
【０００２】
【従来の技術】
記録紙に画像を形成するための画像記録装置としてのインクジェットプリンタは、記録紙を積層して収容する給紙カセットと、給紙カセットから繰り出された記録紙に画像を形成するための画像形成部と、画像が記録された印刷済み記録紙を収容するための排紙トレイとを有している。
【０００３】
記録紙を収容する給紙カセットは、従来、プリンタ本体から容易には取り外されないように、抵抗力が加えられている。このため、給紙カセット内の記録紙が空となったときには、使用者は抵抗力に抗する力を給紙カセットに加えて給紙カセットをプリンタ本体から取り外す必要がある。この給紙カセットの取り外し操作を容易にするために、プリンタ本体の操作パネルにカセット取出ボタンを設け、このボタン操作によって給紙カセットをプリンタ本体から所定のストロークだけ飛び出させるようにした技術が提案されている（特許文献１参照）。
【０００４】
【特許文献１】
特公平４−７９３０５号公報
【０００５】
【発明が解決しようとする課題】
しかしながら、画像形成部で記録紙に対して印刷が行われているときにカセット取出ボタンが操作されたときに、給紙カセットがプリンタ本体から飛び出すようにすると、印刷中の記録紙に皺が発生したり、紙詰まりが発生することになる。
【０００６】
そこで、本発明は、印刷中にカセット取出ボタンが操作されても、給紙カセットがプリンタ本体から取り外されないようにした画像記録装置を提供することを目的とする。
【０００７】
また、本発明は、印刷中にはカセット取出ボタンの操作を禁止して給紙カセットがプリンタ本体から取り外されないようにした画像記録装置を提供することを目的とする。
【０００８】
さらに、本発明は、印刷中にカセット取出ボタンが操作されたときには、カセット取出ボタンを空振り操作させて、印刷終了後に給紙カセットを取り外すことができるようにした画像記録装置を提供することを目的とする。
【０００９】
【課題を解決するための手段】
この課題を解決するために、本発明の画像記録装置は、記録紙に画像を形成する画像形成部が設けられたプリンタ本体と、前記プリンタ本体に対して着脱自在に装着され、記録紙を収容する記録紙載置部と、前記プリンタ本体に回動自在に装着され、前記カセットに設けられた係合部に係合する固定部を有する固定部操作手段と、前記プリンタ本体に移動自在に装着され、前記固定部操作手段に係合し前記固定部操作手段を移動する記録紙載置部の排出操作手段と、前記記録紙載置部の排出操作手段の移動を規制する固定位置と前記記録紙載置部の排出操作手段の移動を許容する退避位置とに移動自在の停止部と、前記記録紙に画像を形成しているときに前記停止部を前記固定位置に移動し、画像を形成していないときに前記停止部を前記退避位置に移動する駆動手段とを有するものである。
【００１０】
この課題を解決するために、本発明の画像記録装置は、記録紙に画像を形成する画像形成部が設けられたプリンタ本体と、前記プリンタ本体に対して着脱自在に装着され、記録紙を収容する給紙カセットと、前記プリンタ本体に回動自在に装着され、前記カセットに設けられた係合部に係合するロック部を有するロックレバーと、前記プリンタ本体に移動自在に装着され、前記ロックレバーに係合し前記ロックレバーを移動するカセット取出ボタンと、前記カセット取出ボタンの移動を規制するロック位置と前記カセット取出ボタンの移動を許容する退避位置とに移動自在のストッパと、前記記録紙に画像を形成しているときに前記ストッパを前記ロック位置に移動し、画像を形成していないときに前記ストッパを前記退避位置に移動する駆動手段とを有するものである。
【００１１】
この課題を解決するために、本発明の画像記録装置は、前記駆動手段が、前記ストッパが固定される移動部材と、前記移動部材に係合するカム部材と、前記カム部材を駆動するモータとを有し、前記モータにより前記移動部材を介してストッパを駆動するようにしたものである。
【００１２】
この課題を解決するために、本発明の画像記録装置は、前記移動部材にカム溝を形成し、前記カム部材に前記カム溝に係合する係合突起を設けるようにしたものである。
【００１３】
これにより、本発明にあっては、記録紙に画像が形成されているときには、カセット取出ボタンの操作が禁止されることになり、画像形成中の記録紙に皺が発生したり、紙詰まりが発生することが防止される。
【００１４】
この課題を解決するために、本発明の画像記録装置は、記録紙に画像を形成する画像形成部が設けられたプリンタ本体と、前記プリンタ本体に対して着脱自在に装着され、記録紙を収容する給紙カセットと、前記プリンタ本体に移動自在に装着され、前記カセットに設けられた主係合部に係合する主ロック部を有する主ロックレバーと、前記プリンタ本体に移動自在に装着され、前記主ロックレバーに係合し前記主ロックレバーを移動するカセット取出ボタンと、前記カセットに設けられた副係合部に係合する副ロック部を有し、前記副ロック部が前記副係合部に係合するロック位置と係合を解く退避位置とに移動自在に前記プリンタ本体に設けられた副ロックレバーと、前記記録紙に画像を形成しているときに前記副ロックレバーを前記ロック位置に移動し、画像を形成していないときに前記副ロックレバーを前記退避位置に移動する駆動手段とを有するものである。
【００１５】
この課題を解決するために、本発明の画像記録装置は、前記駆動手段が、前記副ロックレバーに係合するカム部材と、前記カム部材を駆動するモータとを有し、前記モータにより前記カム部材を介して前記副ロックレバーを駆動するようにしたものである。
【００１６】
この課題を解決するために、本発明の画像記録装置は、前記カセット取出ボタンが操作されたことを検知する検知スイッチを有し、記録紙に対する画像形成中に前記カセット取出ボタンが操作されたときには前記副ロックレバーを駆動せず、画像が形成されていないときに前記カセット取出ボタンが操作されたときに前記副ロックレバーを駆動するようにしたものである。
【００１７】
これにより、本発明にあっては、記録紙に画像が形成されているときには、カセット取出ボタンが操作されても、その操作は空振りとなって給紙カセットの取出が禁止されるので、画像形成中の記録紙に皺が発生したり、紙詰まりが発生することが防止される。また、印刷終了後には検知スイッチからの信号によって給紙カセットを自動的に取出し得るように設定することができる。
【００１８】
この課題を解決するために、本発明の画像記録装置は、記録紙に画像を形成する画像形成部が設けられたプリンタ本体と、前記プリンタ本体に対して着脱自在に装着され、記録紙を収容する給紙カセットと、前記プリンタ本体に移動自在に装着され、前記カセットに設けられた係合部に係合するロック部を有するロックレバーと、前記プリンタ本体に移動自在に装着されるカセット取出ボタンと、前記ロックレバーと前記カセット取出ボタンとを連結する連結位置と連結を解除する退避位置とに移動自在に前記プリンタ本体に設けられる連結部材と、記録紙に画像を形成しているときに前記連結部材を前記退避位置に移動し、画像を形成していないときに前記連結部材を前記連結位置に移動する駆動手段とを有するものである。
【００１９】
この課題を解決するために、本発明の画像記録装置は、前記駆動手段が、前記連結部材が前記カセット取出ボタンの操作方向に移動自在に装着された移動部材と、前記移動部材に係合して前記移動部材を介して前記連結部材を前記退避位置と前記連結位置とに移動するカム部材と、前記カム部材を駆動するモータとを有し、前記モータにより前記移動部材を介して連結部材を駆動するようにしたものである。
【００２０】
この課題を解決するために、本発明の画像記録装置は、前記移動部材にカム溝を形成し、前記カム部材に前記カム溝に係合する係合突起を設けるようにしたものである。
【００２１】
これにより、本発明にあっては、記録紙に画像が形成されているときには、カセット取出ボタンが操作されても、その操作は空振りとなって給紙カセットの取出が禁止されるので、画像形成中の記録紙に皺が発生したり、紙詰まりが発生することが防止される。また、印刷終了後には検知スイッチからの信号によって給紙カセットを自動的に取出し得るように設定することができる。
【００２２】
この課題を解決するために、本発明の画像記録装置は、前記プリンタ本体に設けられ、前記給紙カセットに取出方向の付勢力を加えるばね部材を有するものである。これにより、給紙カセットを取り出す際には、カセット取出ボタンが操作されると、自動的にプリンタ本体から給紙カセットが飛び出し移動することになる。
【００２３】
【発明の実施の形態】
本発明の請求項１に記載の発明は、記録紙に画像を形成する画像形成部が設けられたプリンタ本体と、プリンタ本体に対して着脱自在に装着され、記録紙を収容する記録紙載置部と、プリンタ本体に移動自在に装着され、カセットに設けられた係合部に係合する固定部を有する固定部操作手段と、プリンタ本体に移動自在に装着され、固定部操作手段に係合し固定部操作手段を移動する記録紙載置部の排出操作手段と、記録紙載置部の排出操作手段の移動を規制する固定位置と記録紙載置部の排出操作手段の移動を許容する退避位置とに移動自在の停止部と、記録紙に画像を形成しているときに停止部を固定位置に移動し、画像を形成していないときに停止部を退避位置に移動する駆動手段とを有する画像記録装置であり、記録紙に画像が形成されているときには、記録紙載置部の排出操作手段の操作が禁止されることになる。
【００２４】
本発明の請求項２に記載の発明は、記録紙に画像を形成する画像形成部が設けられたプリンタ本体と、プリンタ本体に対して着脱自在に装着され、記録紙を収容する給紙カセットと、プリンタ本体に移動自在に装着され、カセットに設けられた係合部に係合するロック部を有するロックレバーと、プリンタ本体に移動自在に装着され、ロックレバーに係合しロックレバーを移動するカセット取出ボタンと、カセット取出ボタンの移動を規制するロック位置とカセット取出ボタンの移動を許容する退避位置とに移動自在のストッパと、記録紙に画像を形成しているときにストッパをロック位置に移動し、画像を形成していないときにストッパを退避位置に移動する駆動手段とを有する画像記録装置であり、記録紙に画像が形成されているときには、カセット取出ボタンの操作が禁止されることになる。
【００２５】
本発明の請求項３に記載の発明は、駆動手段が、ストッパが固定される移動部材と、移動部材に係合するカム部材と、カム部材を駆動するモータとを有し、モータにより移動部材を介してストッパを駆動する画像記録装置であり、ストッパはカム部材によりロック位置と退避位置とに駆動される。
【００２６】
本発明の請求項４に記載の発明は、移動部材にカム溝を形成し、カム部材にカム溝に係合する係合突起を設けるようにした画像記録装置である。
【００２７】
本発明の請求項５に記載の発明は、記録紙に画像を形成する画像形成部が設けられたプリンタ本体と、プリンタ本体に対して着脱自在に装着され、記録紙を収容する給紙カセットと、プリンタ本体に移動自在に装着され、カセットに設けられた主係合部に係合する主ロック部を有する主ロックレバーと、プリンタ本体に移動自在に装着され、主ロックレバーに係合し主ロックレバーを移動するカセット取出ボタンと、カセットに設けられた副係合部に係合する副ロック部を有し、副ロック部が副係合部に係合するロック位置と係合を解く退避位置とに移動自在にプリンタ本体に設けられた副ロックレバーと、記録紙に画像を形成しているときに副ロックレバーをロック位置に移動し、画像を形成していないときに副ロックレバーを退避位置に移動する駆動手段とを有する画像記録装置であり、画像形成中にカセット取出ボタンが操作されても、カセット取出ボタンは空振り操作となり、給紙カセットの取出しが禁止される。
【００２８】
本発明の請求項６に記載の発明は、駆動手段が、副ロックレバーに係合するカム部材と、カム部材を駆動するモータとを有し、モータによりカム部材を介して副ロックレバーを駆動するようにした画像記録装置であり、副ロックレバーはカム部材によりロック位置と退避位置とに駆動される。
【００２９】
本発明の請求項７に記載の発明は、カセット取出ボタンが操作されたことを検知する検知スイッチを有し、記録紙に対する画像形成中にカセット取出ボタンが操作されたときには副ロックレバーを駆動せず、画像が形成されていないときにカセット取出ボタンが操作されたときに副ロックレバーを駆動するようにした画像記録装置である。
【００３０】
本発明の請求項８に記載の発明は、記録紙に画像を形成する画像形成部が設けられたプリンタ本体と、プリンタ本体に対して着脱自在に装着され、記録紙を収容する給紙カセットと、プリンタ本体に移動自在に装着され、カセットに設けられた係合部に係合するロック部を有するロックレバーと、プリンタ本体に移動自在に装着されるカセット取出ボタンと、ロックレバーとカセット取出ボタンとを連結する連結位置と連結を解除する退避位置とに移動自在にプリンタ本体に設けられる連結部材と、記録紙に画像を形成しているときに連結部材を退避位置に移動し、画像を形成していないときに連結部材を連結位置に移動する駆動手段とを有する画像記録装置であり、画像形成中にカセット取出ボタンが操作されても、カセット取出ボタンは空振り操作となり、給紙カセットの取出しが禁止される。
【００３１】
本発明の請求項９に記載の発明は、駆動手段が、連結部材がカセット取出ボタンの操作方向に移動自在に装着された移動部材と、移動部材に係合して移動部材を介して連結部材を退避位置と連結位置とに移動するカム部材と、カム部材を駆動するモータとを有し、モータにより移動部材を介して連結部材を駆動するようにした画像記録装置である。
【００３２】
本発明の請求項１０に記載の発明は、移動部材にカム溝を形成し、カム部材にカム溝に係合する係合突起を設けるようにした画像記録装置である。
【００３３】
本発明の請求項１１に記載の発明は、プリンタ本体に設けられ、給紙カセットに取出方向の付勢力を加えるばね部材を有する画像記録装置であり、給紙カセットが取り出されるときにはばね部材のばね力により給紙カセットは自動的にプリンタ本体から飛び出されることになる。
【００３４】
以下、本発明の実施の形態について、図１から図２８を用いて説明する。なお、これらの図面において同一の部材には同一の符号を付しており、また、重複した説明は省略されている。
【００３５】
（実施の形態１）
図１は本発明の実施の形態１の画像記録装置の外観を示す斜視図、図２は本発明の実施の形態１の画像記録装置における給紙カセットをプリンタ本体から飛び出させた状態を示す斜視図、図３は本発明の実施の形態１の画像記録装置における内部構造と給紙カセットを示す斜視図、図４は図３の一部を拡大して示す斜視図、図５（Ａ）は図４におけるＡ−Ａ線に沿う断面図、図５（Ｂ）はカム溝を示す正面図、図６（Ａ）はストッパが退避位置となっているときにおける画像記録装置の一部を示す平面図、図６（Ｂ）は図６（Ａ）におけるＢ−Ｂ線に沿う断面図、図７（Ａ）はストッパが退避位置のもとでカセット取出ボタンが押し込まれた状態における画像記録装置の一部を示す平面図、図７（Ｂ）は図７（Ａ）におけるＣ−Ｃ線に沿う断面図、図８（Ａ）はカセット取出ボタンが押し込まれ給紙カセットが飛び出した状態における画像記録装置の一部を示す平面図、図８（Ｂ）は図８（Ａ）におけるＤ−Ｄ線に沿う断面図、図９（Ａ）はストッパがロック位置のもとでカセット取出ボタンが押し込まれた状態における画像記録装置の一部を示す平面図、図９（Ｂ）は図９（Ａ）におけるＥ−Ｅ線に沿う断面図、図１０は画像記録装置における印刷操作ルーチンを示すフローチャートである。
【００３６】
図１に示すように、実施の形態１の画像記録装置は左右の側板部と天板部と底板部とを備えたプリンタ本体１０を有しており、プリンタ本体１０内には記録紙に画像を形成するための図示しない画像形成部が設けられている。プリンタ本体１０の前面の左右には操作パネル１１，１２が設けられ、両方の操作パネル１１，１２の間から天板部に沿うように折れ曲がったカバー１３がプリンタ本体１０に開閉自在に装着されている。なお、カバー１３としては透明な樹脂材料を用いることができる。
【００３７】
プリンタ本体には、図３に示すように、その前面から着脱自在に給紙カセット（記録紙載置部）１５が装着されるようになっており、この給紙カセット１５の前端部には多段式の排紙トレイ１４が一体に設けられ、印刷される記録紙の長さに応じて排紙トレイ１４を任意の長さに給紙カセット１５から伸張させることができる。プリンタ本体の底板１６には、給紙カセット１５をプリンタ本体１０に対して着脱する際に給紙カセット１５の摺動を案内するカセットガイド１７が給紙カセット１５の両側に対応して設けられている。さらに、底板１６には給紙カセット１５に対してプリンタ本体１０の前面から突出する方向のばね力を付勢するためにばね部材１８が設けられている。
【００３８】
図３に示すように、プリンタ本体１０の内部には支持ブラケット１９が固定され、この支持ブラケット１９に取り付けられたキャリッジシャフト２１には、給紙カセット１５から繰り出された記録紙Ｐに画像を記録するための画像形成部としてのキャリッジ２２が摺動自在に装着されており、キャリッジ２２の摺動を案内するためにプリンタ本体１０内にはキャリッジガイド２３が固定されている。さらに、支持ブラケット１９には印刷時に記録紙Ｐを搬送するための搬送ローラ２４と、排紙トレイ１４に向けて記録紙Ｐを排出させる排紙ローラ２５とがそれぞれ回転自在に装着されている。
【００３９】
図４に示すように、プリンタ本体１０の底板１６に固定されたピン２６には固定部操作手段としてのロックレバー２７が回動自在に装着され、このロックレバー２７の先端には、ばね部材１８のばね力に抗して給紙カセット１５をプリンタ本体１０に収納された状態に保持するために、給紙カセット１５に形成された係合溝（係合部）２８に係合する固定部としてのロック爪（ロック部）２９が設けられている。ロックレバー２７の基端部は先端部に対してほぼ直角に折れ曲がっており、その基端部と支持ブラケット３１との間には、ロック爪２９に対して係合溝２８に向かう方向のばね力を付勢するためにばね部材３２が装着されている。なお、給紙カセット１５に係合溝２８に代えて係合突起を係合部として設け、ロックレバー２７の先端に係合突起と係合する係合溝をロック爪２９に代えてロック部として設けるようにしても良い。
【００４０】
プリンタ本体１０にはその前後方向に往復動自在にカセット取出ロッド３３が装着され、その先端にはカセット取出ボタン（記録紙載置部の排出操作手段）３３ａが設けられており、カセット取出ボタン３３ａは図１および図２に示すように、プリンタ本体１０の前面から突出して作業者により操作されるようになっている。カセット取出ロッド３３には、プリンタ本体１０に取り付けられた検知スイッチ３４を作動する突起部３５が設けられている。さらに、カセット取出ロッド３３にはロックレバー２７の基端部に形成された長孔３６に係合する突起部３７が設けられており、カセット取出ボタン３３ａを押し込むと、ロックレバー２７はばね部材３２のばね力に抗してロック爪２９が係合溝２８から外れる方向に回動する。このようにして、ロック爪２９と係合溝２８との係合が解かれると、給紙カセット１５はばね部材１８のばね力により図２に示すようにプリンタ本体１０の前方に所定のストロークだけ飛び出し移動する。なお、ばね部材１８を設けることなく、ロックレバー２７による給紙カセット１５のロックが解除されたら、収納状態の給紙カセット１５を全て手動操作で引き出すようにしても良い。
【００４１】
記録紙Ｐに画像を印刷中にカセット取出ロッド３３が操作されて給紙カセット１５が突出移動すると、記録紙Ｐに皺が発生し適正な印刷を行うことができなくなる。そこで、底板１６に固定された台座３８に上下動自在に設けられたキャップ３９には、印刷中にはカセット取出ボタン３３ａの押し込み操作を規制するために、カセット取出ロッド３３に当接するストッパ（停止部）４１が一体に設けられている。図４はストッパ４１がカセット取出ロッド３３に当接する位置となった状態を示し、この状態からキャップ３９によりストッパ４１が上昇移動すると、ストッパ４１はカセット取出ロッド３３には当接しない位置に退避する。
【００４２】
キャップ３９を上下動させて、ストッパ４１をカセット取出ロッド３３に当接するロック位置（固定位置）と当接しない退避位置との間で移動するために、図５に示すように、底板１６には支持台４０を介してモータ４２が取り付けられ、このモータ４２の主軸に固定されたモータ歯車４３は底板１６に回転自在に取り付けられた駆動歯車４４に噛み合っている。この駆動歯車４４にはキャップ駆動カム（カム部材）４５が設けられており、このキャップ駆動カム４５に突設された係合突起４６がキャップ３９に形成されたカム溝４７に係合している。したがって、モータ４２によりモータ歯車４３と駆動歯車４４を介してキャップ駆動カム４５を駆動することによって、ストッパ４１はロック位置と退避位置との間を移動する。
【００４３】
図６はストッパ４１がカセット取出ロッド３３と当接しない退避位置となった状態を示す図であり、記録紙Ｐに対して印刷が行われていないときには、キャップ駆動カム４５によりストッパ４１は退避状態つまりアイドル状態となる。このアイドル状態のもとで、カセット取出ボタン３３ａが押し込み操作されると、図７に示すようにカセット取出ロッド３３が押し込み移動される。これにより、ロックレバー２７が回動してロック爪２９と係合溝２８との係合が解かれることになり、図８に示されるように、給紙カセット１５はばね部材１８の付勢力によりプリンタ本体１０の前方に飛び出し移動する。
【００４４】
一方、記録紙Ｐに対して印刷操作が行われているときには、ストッパ４１はカセット取出ロッド３３に当接するロック位置に設定される。図９はこのようにストッパ４１がロック位置となった状態を示し、この状態のもとでカセット取出ロッド３３が押し込まれても、カセット取出ロッド３３の移動が規制されるので、印刷中には給紙カセット１５を取り出すことが防止される。
【００４５】
図１０は画像記録装置における印刷操作ルーチンを示すフローチャートであり、上述したように、記録紙Ｐに対して画像を形成している印刷中には、ストッパ４１はロック位置に設定される。このときに、カセット取出ボタン３３ａが押されても、印刷中であるときには、印刷を継続する（Ｓ１，Ｓ２）。印刷操作が終了したり印刷停止ボタンが操作されたときには（Ｓ３）、Ｓ４が実行されてキャップ３９が上昇してストッパ４１は退避位置に移動する。この状態のもとで、再度カセット取出ボタン３３ａが押し込まれたときには、ロック爪２９が係合溝２８から外れてロックが解除されるので、給紙カセット１５はばね力によってプリンタ本体１０の前方に飛び出し移動することになる（Ｓ５，Ｓ６）。
【００４６】
（実施の形態２）
図１１は本発明の実施の形態２の画像記録装置における内部構造と給紙カセットを示す斜視図、図１２は図１１の一部を拡大して示す斜視図、図１３（Ａ）は副ロックレバーが外れたアイドル状態における画像記録装置の一部を示す平面図、図１３（Ｂ）は図１３（Ａ）におけるＦ−Ｆ線に沿う断面図、図１４（Ａ）は印刷中における画像記録装置の一部を示す平面図、図１４（Ｂ）は図１４（Ａ）におけるＧ−Ｇ線に沿う断面図、図１５（Ａ）は印刷中にカセット取出ボタンが押し込まれた状態における画像記録装置の一部を示す平面図、図１５（Ｂ）は図１５（Ａ）におけるＨ−Ｈ線に沿う断面図、図１６（Ａ）は印刷が行われていないときにカセット取出ボタンが押し込まれた状態における画像記録装置の一部を示す平面図、図１６（Ｂ）は図１６（Ａ）におけるＩ−Ｉ線に沿う断面図、図１７は副ロックレバーが外れたアイドル状態における画像記録装置の一部を示す斜視図、図１８は印刷中における画像記録装置の一部を示す斜視図、図１９は画像記録装置における印刷操作ルーチンを示すフローチャートである。
【００４７】
図１１および図１２に示すように、プリンタ本体１０の底板１６に固定されたピン２６には、実施の形態１と同様に、ロックレバー２７が主ロックレバーとして回動自在に装着され、この主ロックレバー２７の先端には給紙カセット１５に形成された係合溝（係合部）２８に係合するロック爪（ロック部）２９が設けられている。ロックレバー２７の基端部は先端部に対してほぼ直角に折れ曲がっており、その基端部と支持ブラケット３１との間には、ロック爪２９に対して係合溝２８に向かう方向のばね力を付勢するためにばね部材３２が装着されている。
【００４８】
プリンタ本体１０にはその前後方向に往復動自在にカセット取出ロッド３３が装着され、その先端にはカセット取出ボタン３３ａが設けられており、カセット取出ボタン３３ａは図１および図２に示すように、プリンタ本体１０の前面から突出して作業者により操作されるようになっている。図１２に示すように、カセット取出ロッド３３には主ロックレバー２７の基端部に形成された長孔３６に係合する突起部３７が設けられており、カセット取出ボタン３３ａを押し込むと、主ロックレバー２７はばね部材３２のばね力に抗してロック爪２９が係合溝２８から外れる方向に回動する。このようにして、ロック爪２９と係合溝２８との係合が解かれると、給紙カセット１５はばね部材１８のばね力により図２に示すようにプリンタ本体１０の前方に所定のストロークだけ飛び出し移動する。
【００４９】
前述した実施の形態１の画像記録装置にあっては、印刷中にはカセット取出ロッド３３が操作されないようにストッパ４１が設けられているが、実施の形態２の画像記録装置にあっては、ストッパ４１は設けられておらず、カセット取出ロッド３３が押し込まれても、印刷中には給紙カセット１５が飛び出し移動しないように、副ロックレバー５０がプリンタ本体１０の底板１６に設けられている。この副ロックレバー５０はピン５１により底板１６に回動自在に装着されており、先端部には給紙カセット１５の係合溝２８に対して後方にずらして形成された係合溝（副係合部）５２に係合するロック爪（副ロック部）５３が設けられている。副ロックレバー５０の基端部は先端部に対して折れ曲がっており、底板１６に設けられたばね支持ブラケット５４と副ロックレバー５０の基端部との間には、ロック爪５３を係合溝５２に向かわせる方向に副ロックレバー５０にばね力を付勢するばね部材５５が設けられている。
【００５０】
図１２に示すように、底板１６に固定されたピン５６には偏心カム５７が回転自在に装着され、この偏心カム５７と一体となった駆動歯車５８は、図１３〜図１８に示すように、中間歯車５９を介してモータ歯車４３に噛み合っている。したがって、モータ４２により偏心カム５７を回動させると、副ロックレバー５０はロック爪５３が係合溝５２に係合するロック位置と係合を解く退避位置とに移動する。
【００５１】
図１３および図１７は記録紙Ｐに対して印刷が行われていないアイドル状態を示す図であり、このときには副ロックレバー５０のロック爪５３が給紙カセット１５に形成された係合溝５２から離れた退避位置となっている。このアイドル状態のもとで、カセット取出ボタン３３ａが押し込み操作されると、主ロックレバー２７のロック爪２９が係合溝２８から外れて係合が解かれるので、給紙カセット１５はばね部材１８の付勢力によりプリンタ本体１０の前方に飛び出し移動する。
【００５２】
一方、記録紙Ｐに対して印刷操作が行われているときには、モータ４２により副ロックレバー５０が駆動されて、副ロックレバー５０はそのロック爪５３が係合溝５２に係合するロック位置となる。図１４および図１８は副ロックレバー５０がロック位置となった状態を示す。この状態のもとで、図１５に示すように、カセット取出ロッド３３が押し込まれて、主ロックレバー２７のロック爪２９が係合溝２８から外れても、副ロックレバー５０のロック爪５３が係合溝５２に係合しているので、印刷中には給紙カセット１５がプリンタ本体１０の前方に向けて飛び出し移動することが防止される。
【００５３】
印刷が終了した後には、モータ４２により偏心カム５７が駆動されると、図１６に示すように、副ロックレバー５０が退避位置に移動し、給紙カセット１５はばね部材１８の付勢力によりプリンタ本体１０の前方に飛び出し移動する。
【００５４】
図１９は画像記録装置における印刷操作ルーチンを示すフローチャートであり、上述したように、記録紙Ｐに対して画像を形成している印刷中には、副ロックレバー５０はロック位置に設定される。印刷中にカセット取出ボタン３３ａが操作されて検知スイッチ３４がオンしたときには（Ｓ１１，Ｓ１２）、主ロックレバー２７が解除されてもＳ１３で印刷が継続され、１頁分の印刷が終了した後に、Ｓ１４で印刷が停止される。印刷が停止した後には、モータ４２が駆動されてキャップ３９が上昇するとともに、副ロックレバー５０が退避位置に移動してロックが解除される（Ｓ１５）。これにより、給紙カセット１５が前方に飛び出し移動することになる。一方、印刷が行われていないときに、副ロックレバー５０は退避位置となっており、そのときにカセット取出ボタン３３ａが操作されると、Ｓ１６で主ロックレバー２７が解除されるので、給紙カセット１５が前方に飛び出し移動することになる。
【００５５】
（実施の形態３）
図２０は本発明の実施の形態３の画像記録装置における内部構造と給紙カセットを示す斜視図、図２１は図２０の一部を拡大して示す斜視図、図２２（Ａ）は連結部材が連結位置となったアイドル状態における画像記録装置の一部を示す平面図、図２２（Ｂ）は図２２（Ａ）におけるＪ−Ｊ線に沿う断面図、図２３（Ａ）は連結部材が連結位置となっているときにカセット取出ボタンが押された状態における画像記録装置の一部を示す平面図、図２３（Ｂ）は図２３（Ａ）におけるＫ−Ｋ線に沿う断面図、図２４（Ａ）はカセット取出ボタンが操作されて給紙カセットが飛び出した状態における画像記録装置の一部を示す平面図、図２４（Ｂ）は図２４（Ａ）におけるＬ−Ｌ線に沿う断面図、図２５（Ａ）は印刷が行われている状態における画像記録装置の一部を示す平面図、図２５（Ｂ）は図２５（Ａ）におけるＭ−Ｍ線に沿う断面図、図２６（Ａ）は印刷中にカセット取出ボタンが操作された状態における画像記録装置の一部を示す平面図、図２６（Ｂ）は図２６（Ａ）におけるＮ−Ｎ線に沿う断面図、図２７は画像記録装置における印刷操作ルーチンを示すフローチャートである。
【００５６】
図２０および図２１に示すように、プリンタ本体１０の底板１６に固定されたピン２６には、実施の形態１と同様に、ロックレバー２７が回動自在に装着され、このロックレバー２７先端には給紙カセット１５に形成された係合溝（係合部）２８に係合するロック爪（ロック部）２９が設けられている。このロックレバー２７の基端部は先端部に対してほぼ直角に折れ曲がっており、その基端部と支持ブラケット３１との間には、ロック爪２９に対して係合溝２８に向かう方向のばね力を付勢するためにばね部材３２が装着されている。
【００５７】
底板１６に固定された台座３８に上下動自在に設けられ、モータ４２により上下に駆動されるキャップ３９には、図２１に示すように、給紙カセット１５に向けて２本のピン６１が突出しており、これらのピン６１にはジョイント６２に、カセット取出ロッド３３と同一の方向に伸びて形成された長孔６３が係合し、ジョイント６２はカセット取出ロッド３３と同一の方向に移動自在となっている。このジョイント６２にはカセット取出ロッド３３とロックレバー２７の基端部との間に配置される連結部材６４が固定されている。この連結部材６４はキャップ３９が上昇移動すると、カセット取出ロッド３３の移動をロックレバー２７に伝達する連結位置になり、キャップ３９が下降移動すると、カセット取出ロッド３３とロックレバー２７との連結を解除する退避位置になる。
【００５８】
したがって、図２２に示すように、記録紙Ｐに対して印刷が行われていないアイドル状態のときには、キャップ３９が上昇移動しているので、連結部材６４はカセット取出ロッド３３の後端面とロックレバー２７の基端部との間に入り込んで、連結位置となっている。このときに、給紙カセット１５を取り出すべく、カセット取出ボタン３３ａが押し込み操作されると、連結部材６４はカセット取出ロッド３３と同一方向に移動するジョイント６２に固定されているので、図２３に示すように、カセット取出ロッド３３によりロックレバー２７のロック爪２９は係合溝２８から離れて給紙カセット１５のロックが解除される。これにより、図２４に示すように、給紙カセット１５はばね部材１８の付勢力によりプリンタ本体１０の前方に向けて飛び出し移動することになる。
【００５９】
一方、記録紙Ｐに対して印刷操作が行われているときには、図２５に示すように、モータ４２によりキャップ３９が下降限位置となっており、このときには、連結部材６４はカセット取出ロッド３３とロックレバー２７との間から離れた退避位置となる。したがって、この状態のもとで、図２６に示すように、カセット取出ロッド３３が押し込まれても、カセット取出ロッド３３は空振り移動になり、カセット取出ロッド３３はロックレバー２７に当接することなく、給紙カセット１５をロックした状態となる。これにより、印刷中には給紙カセット１５がプリンタ本体の前方に向けて突出移動することが防止される。
【００６０】
図２７は画像記録装置における印刷操作ルーチンを示すフローチャートであり、上述したように、記録紙Ｐに対して画像を形成している印刷中には、ロックレバー２７は係合溝２８に係合し、連結部材６４は退避位置に設定されている。カセット取出ボタン３３ａが押されたときに印刷中であった場合には、連結部材６４が退避位置となっているので、ロックレバー２７は駆動されずに検知スイッチ３４がオンすることになる（Ｓ２１，Ｓ２２）が、印刷は継続される。１頁分の印刷が終了した後にはＳ２３で印刷が停止され、印刷が停止した後には、モータ４２が駆動されてキャップ３９が上昇し、連結部材６４は連結位置に設定される（Ｓ２４）。この状態のもとで、再度カセット取出ボタン３３ａが押し込まれたときには（Ｓ２５）、カセット取出ロッド３３により連結部材６４を介してロックレバー２７が回動し、ロックレバー２７のロック爪２９が係合溝２８から外れてロックが解除される（Ｓ２６）。これにより、給紙カセット１５が前方に飛び出し移動することになる。
【００６１】
（実施の形態４）
図２８（Ａ）は本発明の実施の形態４の画像記録装置におけるロックレバーの待機状態を示す平面図であり、図２８（Ｂ）は図２８（Ａ）ロックレバーがカセット取出ボタンにより移動した状態を示す平面図である。このロックレバー２７は、前述したそれぞれの実施の形態におけるロックレバー２７がピン２６を中心に回動するようになっているのに対して、直線方向に往復動するようにプリンタ本体１０に設けられている。カセット取出ボタン３３ａの直線方向の移動をロックレバー２７の直線移動に変換するために、ロックレバー２７に形成された傾斜面６５に接触する傾斜面６６がカセット取出ボタン３３ａに形成されている。ロックレバー２７にはその先端のロック爪２９を係合溝２８に入り込ませる方向にばね力を加えるためのばね部材３２ａが設けられている。したがって、カセット取出ボタン３３ａを押し込むと、図２８（Ａ）に示すようにロックレバー６５は給紙カセット１５の係合溝２８から離れる方向に移動し、押し込みを解除するとばね力によりロックレバー２７は係合溝２８に接近移動する。
【００６２】
【発明の効果】
以上のように、本発明によれば、記録紙に画像が形成されているときには、カセット取出ボタンの操作が禁止されることになるので、画像形成中における記録紙に皺が発生したり、紙詰まりの発生が防止されるという有効な効果が得られる。
【００６３】
また、本発明によれば、記録紙に画像が形成されているときには、カセット取出ボタンは空振りとなり、給紙カセットは取り出されないので、画像形成中における記録紙に皺が発生したり、紙詰まりの発生が防止されるという有効な効果が得られる。
【図面の簡単な説明】
【図１】本発明の実施の形態１の画像記録装置の外観を示す斜視図
【図２】本発明の実施の形態１の画像記録装置における給紙カセットをプリンタ本体から飛び出させた状態を示す斜視図
【図３】本発明の実施の形態１の画像記録装置における内部構造と給紙カセットを示す斜視図
【図４】図３の一部を拡大して示す斜視図
【図５】（Ａ）図４におけるＡ−Ａ線に沿う断面図
（Ｂ）カム溝を示す正面図
【図６】（Ａ）ストッパが退避位置となっているときにおける画像記録装置の一部を示す平面図
（Ｂ）（Ａ）におけるＢ−Ｂ線に沿う断面図
【図７】（Ａ）ストッパが退避位置のもとでカセット取出ボタンが押し込まれた状態における画像記録装置の一部を示す平面図
（Ｂ）（Ａ）におけるＣ−Ｃ線に沿う断面図
【図８】（Ａ）カセット取出ボタンが押し込まれ給紙カセットが飛び出した状態における画像記録装置の一部を示す平面図
（Ｂ）（Ａ）におけるＤ−Ｄ線に沿う断面図
【図９】（Ａ）ストッパがロック位置のもとでカセット取出ボタンが押し込まれた状態における画像記録装置の一部を示す平面図
（Ｂ）（Ａ）におけるＥ−Ｅ線に沿う断面図
【図１０】画像記録装置における印刷操作ルーチンを示すフローチャート
【図１１】本発明の実施の形態２の画像記録装置における内部構造と給紙カセットを示す斜視図
【図１２】図１１の一部を拡大して示す斜視図
【図１３】（Ａ）副ロックレバーが外れたアイドル状態における画像記録装置の一部を示す平面図
（Ｂ）（Ａ）におけるＦ−Ｆ線に沿う断面図
【図１４】（Ａ）印刷中における画像記録装置の一部を示す平面図
（Ｂ）（Ａ）におけるＧ−Ｇ線に沿う断面図
【図１５】（Ａ）印刷中にカセット取出ボタンが押し込まれた状態における画像記録装置の一部を示す平面図
（Ｂ）（Ａ）におけるＨ−Ｈ線に沿う断面図
【図１６】（Ａ）印刷が行われていないときにカセット取出ボタンが押し込まれた状態における画像記録装置の一部を示す平面図
（Ｂ）（Ａ）におけるＩ−Ｉ線に沿う断面図
【図１７】副ロックレバーが外れたアイドル状態における画像記録装置の一部を示す斜視図
【図１８】印刷中における画像記録装置の一部を示す斜視図
【図１９】画像記録装置における印刷操作ルーチンを示すフローチャート
【図２０】本発明の実施の形態３の画像記録装置における内部構造と給紙カセットを示す斜視図
【図２１】図２０の一部を拡大して示す斜視図
【図２２】（Ａ）連結部材が連結位置となったアイドル状態における画像記録装置の一部を示す平面図
（Ｂ）（Ａ）におけるＪ−Ｊ線に沿う断面図
【図２３】（Ａ）連結部材が連結位置となっているときにカセット取出ボタンが押された状態における画像記録装置の一部を示す平面図
（Ｂ）（Ａ）におけるＫ−Ｋ線に沿う断面図
【図２４】（Ａ）カセット取出ボタンが操作されて給紙カセットが飛び出した状態における画像記録装置の一部を示す平面図
（Ｂ）（Ａ）におけるＬ−Ｌ線に沿う断面図
【図２５】（Ａ）印刷が行われている状態における画像記録装置の一部を示す平面図
（Ｂ）（Ａ）におけるＭ−Ｍ線に沿う断面図
【図２６】（Ａ）印刷中にカセット取出ボタンが操作された状態における画像記録装置の一部を示す平面図
（Ｂ）（Ａ）におけるＮ−Ｎ線に沿う断面図
【図２７】画像記録装置における印刷操作ルーチンを示すフローチャート
【図２８】（Ａ）本発明の実施の形態４の画像記録装置におけるロックレバーの待機状態を示す平面図
（Ｂ）ロックレバーがカセット取出ボタンにより移動した状態を示す平面図
【符号の説明】
１０  プリンタ本体
１５  給紙カセット（記録紙載置部）
１８  ばね部材
２２  キャリッジ（画像形成部）
２７  ロックレバー（主ロックレバー）
２８  係合溝（係合部）
２９  ロック爪（ロック部）
３３  カセット取出ロッド
３３ａ  カセット取出ボタン（記録紙載置部の排出操作手段）
３４  検知スイッチ
３９  キャップ（移動部材）
４１  ストッパ（停止部）
４２  モータ（駆動手段）
４５  キャップ駆動カム（カム部材）
４６  係合突起
４７  カム溝
５０  副ロックレバー
５２  係合溝（副係合部）
５３  ロック爪（副ロック部）
５７  偏心カム（カム部材）
６２  ジョイント
６４  連結部材
【図１】
2004338874.tif 000003
【図２】
2004338874.tif 000004
【図３】
2004338874.tif 000005
【図４】
2004338874.tif 000006
【図５】
2004338874.tif 000007
【図６】
2004338874.tif 000008
【図７】
2004338874.tif 000009
【図８】
2004338874.tif 000010
【図９】
2004338874.tif 000011
【図１０】
2004338874.tif 000012
【図１１】
2004338874.tif 000013
【図１２】
2004338874.tif 000014
【図１３】
2004338874.tif 000015
【図１４】
2004338874.tif 000016
【図１５】
2004338874.tif 000017
【図１６】
2004338874.tif 000018
【図１７】
2004338874.tif 000019
【図１８】
2004338874.tif 000020
【図１９】
2004338874.tif 000021
【図２０】
2004338874.tif 000022
【図２１】
2004338874.tif 000023
【図２２】
2004338874.tif 000024
【図２３】
2004338874.tif 000025
【図２４】
2004338874.tif 000026
【図２５】
2004338874.tif 000027
【図２６】
2004338874.tif 000028
【図２７】
2004338874.tif 000029
【図２８】
2004338874.tif 000030